(57)【要約】  【課題】呼吸センサの装着時の不快感を低減できる呼吸センサを提供すること。  【解決手段】  呼吸センサ１は、略Ｔ字形状のカバーである基体５と、基体５の中央平坦部７に取り付けられた検出素子９と、検出素子９から伸びる一対のリード線１１、１３と、基体５の生体側に取り付けられた接着部材１５とから構成されている。接着部材１５は、帯状な部材であり、基体５の左右方向の長さより長尺とされている。接着部材１５は、帯状の柔軟なベース部材３７を主体とし、そのベース部材３７の裏側に両面テープ３９が貼り付けられたものである。この接着部材１５の両端は、基体５の左右の脚部２３、２５より、左右方向外側に突出しており、その突出部分（張出部）４５、４７は、各脚部２３、２５よりそれぞれ１５ｍｍ以上左右方向に突出している。【選択図】図１
2009160305.tif 000002
【特許請求の範囲】
【請求項１】
生体の呼吸及びいびきのうち少なくとも一方の呼吸状態に対応した信号を出力する検出素子と、
前記検出素子を前記生体の表面から離れた所定の検出位置に保持する板状の基体と、
を備え、前記生体の表面に取り付けられて、前記生体の呼吸状態を検出する呼吸センサにおいて、
前記基体は、前記生体側が凹状となるように稜線部分を中心にして左右方向に曲げられ、鼻及び口の間と口との上方を息の流路を空けて覆うように構成されたカバーであって、
前記基体の生体側には、前記基体を前記左右方向に横断するように配置されて、前記基体を前記流路を空けて前記生体の表面に接着する接着部材を備えるとともに、
前記接着部材は、前記基体の左右方向の両外側に張り出す張出部を有し、且つ、前記基体より柔軟性を有することを特徴とする呼吸センサ。
【請求項２】
前記張出部の先端側が丸い形状を有することを特徴とする請求項１に記載の呼吸センサ。
【請求項３】
前記張出部は、前記基体の左右端より、それぞれ５ｍｍ以上張り出すことを特徴とする請求項１又は２に記載の呼吸センサ。
【請求項４】
生体の呼吸及びいびきのうち少なくとも一方の呼吸状態に対応した信号を出力する検出素子と、
前記検出素子を前記生体の表面から離れた所定の検出位置に保持する板状の基体と、
を備え、前記生体の表面に取り付けられて、前記生体の呼吸状態を検出する呼吸センサにおいて、
前記基体は、前記生体側が凹状となるように稜線部分を中心にして左右方向に曲げられ、鼻及び口の間と口との上方を息の流路を空けて覆うように構成されたカバーであって、
前記稜線方向に伸びる凹状の中央部と、該中央部の前記稜線方向の一端側から前記左右方向に伸びる脚部とを有するとともに、該各脚部は前記中央部よりそれぞれ１５ｍｍ以上長い寸法に設定され、
更に、前記基体の生体側には、前記基体を前記左右方向に横断して前記脚部と重なるように配置されて、前記基体を前記流路を空けて前記生体の表面に接着する接着部材を備えるとともに、
前記接着部材は、前記基体より柔軟性を有することを特徴とする呼吸センサ。
【請求項５】
前記接着部材は、前記基体の左右方向の両側にて固定された長尺の板状の部材であることを特徴とする請求項１〜４のいずれかに記載の呼吸センサ。
【請求項６】
前記接着部材の生体側の表面に、両面テープ又は粘着剤を剥離紙で覆ったものを備えたことを特徴とする請求項１〜５のいずれかに記載の呼吸センサ。
【請求項７】
前記接着部材の生体側の接着部分は、長手方向における中央部分の幅が、長手方向における両端部分の幅より狭く設定されていることを特徴とする請求項１〜６のいずれかに記載の呼吸センサ。
【請求項８】
前記接着部材の材料が、主として、スポンジ、不織布、及び紙の少なくとも１種からなることを特徴とする請求項１〜７のいずれかに記載の呼吸センサ。
【請求項９】
前記検出素子から伸びる一対のリード線は、前記基体の鼻側の左右に空けられた一対の開孔からそれぞれ取り出すように構成されたことを特徴とする請求項１〜８のいずれかに記載の呼吸センサ。
【請求項１０】
前記一対のリード線は、前記検出素子と前記開孔との間にて結び目を有することを特徴とする請求項９に記載の呼吸センサ。
【請求項１１】
前記基体に複数の開口部を有するとともに、該開口部を覆うように通気性を有するシートを配置したことをすることを特徴とする請求項１〜１０のいずれかに記載の呼吸センサ。
【請求項１２】
前記検出素子が、圧力検出素子又は温度検出素子であることを特徴とする請求項１〜１１のいずれかに記載の呼吸センサ。
【請求項１３】
前記温度検出素子は、フィルム状の圧電素子であることを特徴とする請求項１２に記載の呼吸センサ。
【請求項１４】
前記基体及び接着部材は、折り曲げ又は湾曲が可能な材料からなることを特徴とする請求項１〜１３のいずれかに記載の呼吸センサ。
【発明の詳細な説明】
【技術分野】
【０００１】
本発明は、圧電フィルム等を用いて、例えば睡眠時などの呼吸の正常・異常やいびきなどの呼吸状態を調べることができる呼吸センサに関する。
【背景技術】
【０００２】
従来より、人の呼吸の状態を調べる技術として、口元にサーミスタを貼り付ける技術が知られている（特許文献１参照）
また、体の動きを圧電素子で検出し、その検出結果から呼吸の状態を調べる技術も知られている（特許文献２参照）。
【０００３】
更に、赤外線を用いた画像処理により呼吸を検出する技術も知られている（特許文献３参照）。
その上、近年では、口にＰＶＤＦ（ポリフッ化ビニリデン）フィルムを貼り付け、その検出信号から呼吸を検出する技術も開示されている（特許文献４参照）。
【特許文献１】特許第２７９４１９６号公報  （第２頁  第２図）
【特許文献２】特許第２８０３３７４号公報  （第１頁  図２）
【特許文献３】特許第３３９０８０２号公報  （第１頁  図１）
【特許文献４】米国特許第５３１１８７５号明細書  （第１頁  第１図）
【発明の開示】
【発明が解決しようとする課題】
【０００４】
しかし、引用文献１の技術では、サーミスタの位置による誤差が大きいという問題があった。
また、引用文献２、３の技術では、装置が大型化するという問題があった。
【０００５】
更に、引用文献４の技術では、平板状のフィルムを直接に口の上に貼り付けるので、測定精度が高くないという問題があった。
そこで、最近では、これらの従来技術の問題点を解決する技術として、湾曲したカバーにＰＶＤＦフィルムを配置し、このカバーで口や鼻先を覆う呼吸センサが開発されている。  ところが、その呼吸センサを顔に装着する場合には、図９に示す様に、何枚ものテープＰ１で顔に呼吸センサＰ２を貼り付ける必要があるので、検査時の装着感が悪いという問題があった。
【０００６】
本発明は以上の点に鑑みてなされたものであり、呼吸センサの装着時の不快感を低減できる呼吸センサを提供すること目的とする。
【課題を解決するための手段】
【０００７】
（１）請求項１の発明は、生体の呼吸及びいびきのうち少なくとも一方の呼吸状態に対応した信号を出力する検出素子と、前記検出素子を前記生体の表面から離れた所定の検出位置（即ち、呼吸やいびきによる息がかかり、それによって呼吸状態を検出できる位置）に保持する板状の基体と、を備え、前記生体の表面に取り付けられて、前記生体の呼吸状態を検出する呼吸センサにおいて、前記基体は、前記生体側が凹状となるように稜線部分を中心にして左右方向に曲げられ、鼻及び口の間と口との上方を息の流路を空けて覆うように構成されたカバーであって、前記基体の生体側には、前記基体を前記左右方向に横断するように配置されて、前記基体を前記流路を空けて前記生体の表面に接着する接着部材を備えるとともに、前記接着部材は、前記基体の左右方向の両外側に張り出す張出部を有し、且つ、前記基体より柔軟性を有することを特徴とする。
【０００８】
本発明では、基体の生体側（内側）に、基体の左右方向の外側に張り出す張出部を有し、しかも、基体より柔軟性がある接着部材を備えているので、この接着部材を顔（鼻と口との間等）に貼り付けることにより、呼吸センサを確実に顔に貼り付けることができる。
【０００９】
従って、従来の様に、呼吸センサをテープで貼り付ける必要がないので（又はテープは最少で済むので）、呼吸センサの装着時の違和感を大きく低減できるという顕著な効果を奏する。
【００１０】
これにより、呼吸センサを安定して装着できるので、装着ミスを低減できるとともに、被験者の（装着時の違和感による）睡眠不足などの負担を軽減できる。
なお、ここで左右とは、稜線部分を中心軸として正面から見た場合に、その左右方向を示している（以下同様）。
【００１１】
（２）請求項２の発明では、前記張出部の先端側が丸い形状を有することを特徴とする。
これにより、張出部の顔への当たりが一層緩和されるので、呼吸センサの装着時の違和感を一層低減できるという効果がある。また、先端の丸形状を大きくすれば接着面積も大きくなるので、呼吸センサが脱落し難いという利点もある。
【００１２】
（３）請求項３の発明では、前記張出部は、前記基体の左右端より、それぞれ５ｍｍ以上張り出すことを特徴とする。
本発明は、柔軟性を有する張出部が基体より大きく外側に張り出しているので、接着性が向上するという効果がある。
【００１３】
（４）請求項４の発明は、生体の呼吸及びいびきのうち少なくとも一方の呼吸状態に対応した信号を出力する検出素子と、前記検出素子を前記生体の表面から離れた所定の検出位置に保持する板状の基体と、を備え、前記生体の表面に取り付けられて、前記生体の呼吸状態を検出する呼吸センサにおいて、前記基体は、前記生体側が凹状となるように稜線部分を中心にして左右方向に曲げられ、鼻及び口の間と口との上方を息の流路を空けて覆うように構成されたカバーであって、前記稜線方向に伸びる凹状の中央部と、該中央部の前記稜線方向の一端側から前記左右方向に伸びる脚部とを有するとともに、該各脚部は前記中央部よりそれぞれ１５ｍｍ以上長い寸法に設定され、更に、前記基体の生体側には、前記基体を前記左右方向に横断して前記脚部と重なるように配置されて、前記基体を前記流路を空けて前記生体の表面に接着する接着部材を備えるとともに、前記接着部材は、前記基体より柔軟性を有することを特徴とする。
【００１４】
本発明では、前記請求項１の発明の様に、基体の左右より接着部材が大きく張り出しているのではなく、基体自身が大きく左右に張り出し、且つ、基体の生体側（内側：裏側）に沿って接着部材も同様に大きく張り出しているので、前記請求項１の発明と同様な効果を奏する。
【００１５】
（５）請求項５の発明では、前記接着部材は、前記基体の左右方向の両側にて固定された長尺の板状の部材であることを特徴とする。
本発明は、接着部材の形状を例示したものであり、この接着部材を鼻と口との間に貼り付けることにより、呼吸センサを顔に確実に固定することができる。
【００１６】
（６）請求項６の発明では、前記接着部材の生体側の表面に、両面テープ又は粘着剤を剥離紙で覆ったものを備えたことを特徴とする。
本発明は、接着部材の構成を例示したものであり、この両面テープ又は粘着剤の接着力によって、呼吸センサを顔に貼り付けることができる。
【００１７】
（７）請求項７の発明では、前記接着部材の生体側の接着部分は、長手方向における中央部分の幅が、長手方向における両端部分の幅より狭く設定されていることを特徴とする。
【００１８】
鼻と口の間は、皮膚が動きやすく又敏感な箇所であるが、本発明では、接着部材の中央は、両面テープ等の接着力を有している接着部分の幅が狭く設定されている。
従って、呼吸センサを装着した場合の違和感が少なく、しかも、脱落しにくいという利点がある。
【００１９】
（８）請求項８の発明は、前記接着部材の材料が、主として、スポンジ、不織布、及び紙の少なくとも１種からなることを特徴とする。
本発明は、接着部材の材料を例示したものである。なお、この材料以外でも、基材よりも柔軟であれば、各種の材料を採用することができる。
【００２０】
（９）請求項９の発明では、前記検出素子から伸びる一対のリード線は、前記基体の鼻側（即ち装着した場合の上部）の左右に空けられた一対の開孔からそれぞれ取り出すように構成されたことを特徴とする。
【００２１】
従って、一対のリード線を、例えば耳に掛けるようにして引き上げるようにすれば、呼吸センサが下方に下がることを防止できる。
（１０）請求項１０の発明では、前記一対のリード線は、前記検出素子と前記開孔との間にて結び目を有することを特徴とする。
【００２２】
本発明では、リード線は、検出素子と開孔との間に結び目（一対のリード線を結んだもの）を有しているので、リード線が外方向に引かれた場合でも、リード線が検出素子から脱落し難いという利点がある。
【００２３】
（１１）請求項１１の発明では、前記基体に複数の開口部を有するとともに、該開口部を覆うように通気性を有するシートを配置したことをすることを特徴とする。
これにより、検査中における被験者のムレによる不快感を低減できる。
【００２４】
（１２）請求項１２の発明では、前記検出素子が、圧力検出素子又は温度検出素子であることを特徴とする。
本発明では、検出素子を例示したものであり、この種の検出素子は、呼吸状態の変化に応じて信号が出力されるので好適である。
【００２５】
尚、圧力検出素子としては、呼吸やいびきによってその形状がひずんで測定可能な信号が検出できるダイアフラム式圧力検出素子を採用できる。また、温度感知素子としては、熱電対、サーミスタ、測温抵抗体等を用いることができる。
【００２６】
（１３）請求項１３の発明では、前記温度検出素子は、フィルム状の圧電素子であることを特徴とする。
本発明は、温度検出素子を例示したものである。この圧電素子としては、フィルム状の圧電体の両側にそれぞれ薄膜の電極を配置したものが挙げられる。この圧電体としては、ＰＶＤＦ（ポリフッ化ビニリデン）等の有機高分子材料を用いた圧電体を採用できる。
【００２７】
（１４）請求項１４の発明では、前記基体及び接着部材は、折り曲げ又は湾曲が可能な材料からなることを特徴とする。
従って、搬送時や包装時には、呼吸センサを折り曲げることにより、コンパクトにすることができ、その扱いが容易である。
【発明を実施するための最良の形態】
【００２８】
次に、本発明を実施するための最良の形態の例（実施例）について説明する。
【実施例１】
【００２９】
本実施例の呼吸センサは、患者等の呼吸を検出するものである。
ａ）まず、本実施例の呼吸センサの構成を図１及び図２を用いて説明する。
図１に示す様に、本実施例の呼吸センサ１は、測定時には携帯型の呼吸状態監視装置３に接続されて使用されるものであり、主として、略Ｔ字形状のカバーである基体５と、基体５の中央平坦部７に取り付けられた検出素子９と、検出素子９から伸びる一対のリード線１１、１３と、基体５の生体側（内側：裏側：（図２（ａ）の下方）に取り付けられた接着部材１５とから構成されている。
【００３０】
このうち、前記基体５は、指等で容易に湾曲が可能な例えばポリエステルからなる薄肉の弾性を有するフィルムからなり、中央平坦部（山の稜線部分）７とその左右の両袖部分１７、１９との間で山形に折り曲げられた凹状の部材である。
【００３１】
詳しくは、この基体５は、鼻と口との間及び口の上方を覆う縦長の中央部２１、即ち、中央平坦部７及び両袖部分１７、１９からなる中央部２１と、両袖部分１７、１９の後端側（同図上方）の左右の両端から僅かに（数ｍｍ程度）突出する一対の脚部２３、２５とから構成されている。なお、基体５の先端側の検出素子９近傍には、余剰の息を逃がすために、換気孔２７が複数形成されている。
【００３２】
前記検出素子９は、感温及び圧電の機能を有する長方形のＰＶＤＦフィルムの上下両面に電極を備えたものであり、電極の外側は防湿フィルムにより覆われている（図示せず）。この検出素子９は、基体５の中央平坦部７の切れ目２９に差し込まれて、その先端が基体５の裏側に突出している。
【００３３】
なお、基体５の表側に突出した検出素子９の後端側と、一対のリード線１１、１３とは、接着剤により動かないように固定されており、更にその上から接着テープ３０により覆われている。
【００３４】
前記一対のリード線１１、１３は、検出素子９の後端側から伸びて、結び目３１が作られ、その結び目３１から両袖部分１７、１９の後端側に空けられた開孔３３、３５を通って、外部に取り出されている。
【００３５】
前記接着部材１５は、図２に示す様に、例えば長さ８０ｍｍ×幅１８ｍｍ×厚み２ｍｍの帯状な部材であり、基体５の左右方向の長さより長尺とされている。この接着部材１５は、基体５の裏側にて、基材３の左右方向を横断するように配置されるとともに、基体５側に凸となるように湾曲している。また、接着部材１５は、帯状のベース部材３７を主体とし、そのベース部材３７の裏側に、生体との接着を行うための両面テープ３９が貼り付けられたものである。
【００３６】
前記接着部材１５（詳しくはベース部材３７）は、基体５の両脚部２３、２５にて、脚部２３、２５の上端から伸びる折返部分４１、４２に挟まれて、ハトメ４３、４４により基体５に固定されている。
【００３７】
前記ベース部材３７は、例えばポリウレタンからなるスポンジ等の材料からなり、基材５より柔軟である。尚、このベース部材３７により、接着部材１５自体も基材５より柔軟である。
【００３８】
特に本実施例では、接着部材１５の両端は、基体５の左右の脚部２３、２５より、左右方向外側に突出しており、その突出部分（張出部）４５、４７は、各脚部２３、２５よりそれぞれ５ｍｍ以上左右方向に突出している。
【００３９】
ｂ）次に、呼吸センサ１の使用方法を図３を用いて説明する。
図３に示す様に、呼吸センサ１は、口と鼻との間に貼り付けて用いる。つまり、略Ｔ字状の呼吸センサ１のうち、（Ｔ字の横線部分に該当する）接着部材１５の両面テープ３９を口と鼻との間に貼り付けて、（Ｔ字の縦線部分に該当する）中央部２１が口の上になるように配置する。
【００４０】
これにより、中央部２１の検出素子９が口から離れて配置され、しかも、中央部２１に対しては、口からの息がほぼ直角に近い角度で当たるようになるとともに、鼻からの息が中央部２１に並行に流れるようになる。
【００４１】
そして、呼吸の検出を行う場合には、呼吸センサ１のリード線１１、１３を、例えば耳の上に回し、図４に示す呼吸状態監視装置３に接続する。
この呼吸状態監視装置３は、周知のアンプ５１、Ａ／Ｄ変換器５３、ＣＰＵ５５、記憶装置（バックアップＲＡＭ等）５７、電源５９等を備えている。また、呼吸状態監視装置３には、メモリカード等を着脱可能である。更に、呼吸状態監視装置３からは、有線（又は無線）により、測定データ等を外部に送信可能である。
【００４２】
従って、本実施例では、口からの息が中央部２１にほぼ垂直に近い角度で当たると、検出素子９がたわむ（ひずむ）ので、そのひずみによって発生した電圧を、呼吸状態監視装置３で検出でき、口での呼吸を測定することができる。
【００４３】
また、検出素子９のＰＶＤＦは、焦電効果も示すので、温度変化にも反応する。従って、呼吸に伴う温度変化も検出できるので、呼吸を検出する際の精度が向上する。つまり、鼻からの息は、検出素子９と並行に流れるが、この検出素子９の焦電効果により、鼻からの息も測定することができる。
【００４４】
ｃ）次に、本実施例の効果を説明する。
本実施例では、基体５の裏側に配置された接着部材１５は、主として柔軟なスポンジ状の材料により構成されるとともに、基体５の左右から大きく張り出しているので、呼吸センサ１を生体にしっかりと固定することができる。
【００４５】
つまり、接着部材１５は、その裏側の両面テープ３９によって鼻と口との間にしっかりと接着するので、従来の様に、何枚ものテープを用いて呼吸センサ１を顔に貼り付ける必要がない。そのため、検査時の不快感が大きく低減するという顕著な効果を奏する。
【００４６】
また、本実施例では、一対のリード線１１、１３は、検出素子９から一旦結び目３１を作ってから取り出されるので、リード線１１、１３が引っ張られた場合でも、検出素子９からリード線１１、１３が取れることがないという利点がある。
【００４７】
更に、リード線１１、１３は、基体５の上部の左右の開孔３３、３５から引き出される構成であるので、このリード線１１、１３を引くことにより、呼吸センサ１を顔に近接させることができるという効果もある。
【００４８】
尚、本実施例の呼吸センサ１を用いて、呼吸だけでなく、いびきも検出することができる。
【実施例２】
【００４９】
次に、実施例２について説明するが、前記実施例１と同様な内容の説明は省略する。
本実施例の呼吸センサでは、図５に示す様な接着部材６１を使用する。
この接着部材６１の裏側には、前記実施例１と同様に両面テープ６３が貼り付けてあるが、その両面テープ６３の左右方向における中央部６５の幅が、左右両側の幅より狭くなっている。
【００５０】
つまり、鼻と口との間の幅は狭く、しかも、よく動く部分であるので、その狭い幅全体に両面テープ６３を貼り付けると、どうしても、ある程度の違和感がある。そこで、本実施例では、鼻と口との間に貼り付けられる両面テープ６３の中央部６５の幅を狭くすることにより、装着時の違和感を低減している。
【実施例３】
【００５１】
次に、実施例３について説明するが、前記実施例１と同様な内容の説明は省略する。
図６に示す様に、本実施例の呼吸センサ７１は、前記実施例１の基体と同様なフィルム状の上部基体７３を有するとともに、その裏側に、ほぼ同様なフィルム状の下部基体７５を有している。
【００５２】
この下部基体７５の先端は、上部基体７３の換気孔７７を覆わない様に短くされており下部基体７５の上面に検出素子８１が固定されて、換気孔７７側に突出している。
また、検出素子８１から伸びるリード線８３、８５は、左右の脚部８７、８９を通って外部に取り出されている。
【００５３】
更に、下部基部７５の下側には、前記第１実施例と同様に、スポンジ状の材料を主体とする長尺の接着部材９１が取り付けられており、この接着部材９１は、下部基部７５の左右を横断して、その左右方向外側に突出している。
【００５４】
特に、本実施例では、左右の脚部８７、８９から突出する接着部材９１の張出部９３、９５は、円形とされている。
従って、本実施例では、前記実施例１と同様な効果を奏するとともに、接着面積が広いので、より確実に接着できるという効果がある。また、張出部９３、９５は円形であり、角張った部分がないので、当たりが柔らかく、違和感が一層少ないという利点がある。
【実施例４】
【００５５】
次に、実施例４について説明するが、前記実施例１と同様な内容の説明は省略する。
図７に示す様に、本実施例の呼吸センサ１０１は、前記実施例１と多少形状が異なる基体１０３と、同様な構成の接着部材１０５とを有している。尚、同図では、検出素子やリード線は省略してある。
【００５６】
特に本実施例では、基体１０３の換気孔１０７より基端側（同図上方）において、両袖部分１０９、１１１から脚部１１３、１１５にかけて、多数の開口部１１７が形成されている。
【００５７】
また、基体１０３の基端側の表面には、全ての開口部１１７を覆うとともに、若干後端側に張り出すよう、通気性を有する例えば不織布からなるシート１１９が取り付けられている。なお、シート１１９は、シート１１９の左右端において、基体１０３の折返部分１２１、１２３により挟まれて、ハトメ１２５、１２７により固定されている。
【００５８】
本実施例では、基体１０３の多数の開口部１１７を、通気性を有するシート１１９によりに覆うので、呼吸センサ１１１の装着時におけるムレが少ないという効果があり、結露の軽減もできる。
【実施例５】
【００５９】
次に、実施例５について説明するが、前記実施例１と同様な内容の説明は省略する。
図８に示す様に、本実施例の呼吸センサ１３１は、前記実施例１とは形状が異なる基体１３３と、同様な構成の接着部材１３５とを有している。尚、同図では、検出素子やリード線は省略してある。
【００６０】
具体的には、本実施例では、基体１３３の中央部１３６より伸びる左右の脚部１３７、１３９は、前記実施例１よりかなり長く、長尺の接着部材１３５の全面を覆うように設定されている。
【００６１】
つまり、本実施例の脚部１３７、１３９の左右方向の長さは、１５ｍｍ〜２５ｍｍの範囲内の例えば２０ｍｍに設定されている。
なお、ここで、脚部１３７、１３９の長さとは、基体１３３の両袖部分１４１、１４３の延長線と接着部材１３５の側端の交点から脚部１３７、１３９の先端までを言い、図８での距離Ｌである。
【００６２】
本実施例においても、前記実施例１と同様な効果を奏する。なお、前記実施例２のように、脚部の先端を丸くしてもよい。
尚、本発明は前記実施例に何ら限定されることなく、本発明の技術的範囲を逸脱しない限り、種々の態様で実施できることはいうまでもない。
【００６３】
例えば接着部材を構成する材料として、スポンジ状の部材以外に、不職布や紙等、各種の柔軟性に優れた材料を使用できる。また、両面テープではなく、粘着剤を剥離紙で覆ったものを採用できる。
【図面の簡単な説明】
【００６４】
【図１】実施例１の呼吸センサ等の正面を示す説明図である。
【図２】（ａ）実施例１の呼吸センサの背面図、（ｂ）はその底面図、（ｃ）は側面図である。
【図３】実施例１の呼吸センサの使用方法を示す説明図である。
【図４】実施例１で用いる呼吸状態監視装置を示す説明図である。
【図５】実施例２の呼吸センサで使用する接着部材を示す説明図である。
【図６】（ａ）実施例３の呼吸センサの平面図、（ｂ）はその側面図である。
【図７】実施例４の呼吸センサの正面を示す説明図である。
【図８】実施例５の呼吸センサの正面を示す説明図である。
【図９】従来技術の説明図である。
【符号の説明】
【００６５】
１、７１、１０１、１３１・・・呼吸センサ
５、７３、７５、１０３、１３３・・・基体
９、８１・・・検出素子
１１、１３、８３、８５・・・リード線
１５、９１、１０５、１３５・・・接着部材
３９・・・両面テープ
４５、４７、９３、９５・・・張出部
【図１】
2009160305.tif 000003
【図２】
2009160305.tif 000004
【図３】
2009160305.tif 000005
【図４】
2009160305.tif 000006
【図６】
2009160305.tif 000007
【図８】
2009160305.tif 000008
【図９】
2009160305.tif 000009
【図５】
2009160305.tif 000010
【図７】
2009160305.tif 000011